【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
無線通信の方法であって、
前記方法は、
ネットワークエンティティから、リソース要素の第１のセットを含むランダムに割り当てられた干渉測定リソースのセットのうちの少なくとも１つの干渉測定リソースを少なくとも部分的に決定する少なくとも１つの識別子を受信すること、そこにおいて、前記リソース要素の第１のセットは、別の少なくとも１つの干渉測定リソースに対応するリソース要素の第２のセットとは異なり、前記少なくとも１つの識別子は、前記ネットワークエンティティに対応する仮想セルＩＤ、前記ネットワークエンティティによって提供される非ゼロ出力チャネル状態情報参照信号（ＮＺＰ  ＣＳＩ−ＲＳ）リソースの仮想セルＩＤ、または前記ネットワークエンティティに対応する物理セルＩＤのうちの１つである、と、
前記少なくとも１つの干渉測定リソースに少なくとも部分的に基づいて干渉を測定することと
を備える、方法。
【請求項２】
前記少なくとも１つの干渉測定リソースは、前記別の少なくとも１つの干渉測定リソースのリソース要素を伴ってわずか２つのリソース要素によって重複する、
請求項１に記載の方法。
【請求項３】
前記少なくとも１つの識別子は、第１の識別子と第２の識別子を備え、
前記第１の識別子は、第１の干渉測定リソースを決定し、
前記第２の識別子は、第２の干渉測定リソースを決定し、
前記第１および第２の干渉測定リソースは、わずか２つのリソース要素によって重複する、
請求項１に記載の方法。
【請求項４】
前記干渉を前記測定することに基づいてチャネル状態情報（ＣＳＩ）報告を決定することと、
前記少なくとも１つの識別子と関連する前記ネットワークエンティティに前記ＣＳＩ報告を送信することと
をさらに備える、請求項１に記載の方法。
【請求項５】
前記少なくとも１つの識別子のそれぞれに関して、
各識別子に、少なくとも部分的に、基づいて、リソースブロックのセットから２つのリソースブロックを選択することと、
各識別子に、少なくとも部分的に、基づいて、前記２つのリソースブロックから４つのリソース要素を選択すること、そこにおいて、前記干渉を前記測定することは、前記４つのリソース要素に基づく、と
をさらに備える、請求項１に記載の方法。
【請求項６】
前記リソース要素の第１のセットは、ゼロ出力チャネル状態情報参照信号（ＺＰ  ＣＳＩ−ＲＳ）リソースと関連する、
請求項１に記載の方法。
【請求項７】
既定のサブフレームにおける前記少なくとも１つの干渉測定リソースは、前記少なくとも１つの識別子と周波数ホッピングパターンの組み合わせに基づいて決定される、
請求項１に記載の方法。
【請求項８】
装置であって、
ネットワークエンティティから、リソース要素の第１のセットを含むランダムに割り当てられた干渉測定リソースのセットのうちの少なくとも１つの干渉測定リソースを少なくとも部分的に決定する少なくとも１つの識別子を受信するように構成された少なくとも１つのプロセッサ、そこにおいて、前記リソース要素の第１のセットは、別の少なくとも１つの干渉測定リソースに対応するリソース要素の第２のセットとは異なる、および、前記少なくとも１つの干渉測定リソースに少なくとも部分的に基づいて干渉を測定する、そこにおいて、前記少なくとも１つの識別子は、前記ネットワークエンティティに対応する仮想セルＩＤ、前記ネットワークエンティティによって提供される非ゼロ出力チャネル状態情報参照信号（ＮＺＰ  ＣＳＩ−ＲＳ）リソースの仮想セルＩＤ、または前記ネットワークエンティティに対応する物理セルＩＤのうちの１つである、と、
データを格納するために前記少なくとも１つのプロセッサに結合されたメモリと
を備える、装置。
【請求項９】
前記少なくとも１つの干渉測定リソースは、前記別の少なくとも１つの干渉測定リソースのリソース要素を伴ってわずか２つのリソース要素によって重複する、
請求項８に記載の装置。
【請求項１０】
前記少なくとも１つの識別子は、第１の識別子と第２の識別子を備え、
前記第１の識別子は第１の干渉測定リソースを決定し、
前記第２の識別子は第２の干渉測定リソースを決定し、
前記第１および第２の干渉測定リソースは、わずか２つのリソース要素によって重複する、
請求項８に記載の装置。
【請求項１１】
前記少なくとも１つのプロセッサは、前記干渉を前記測定することに基づいてチャネル状態情報（ＣＳＩ）報告を決定し、および前記少なくとも１つの識別子と関連する前記ネットワークエンティティに前記ＣＳＩ報告を送信するようにさらに構成される、
請求項８に記載の装置。
【請求項１２】
前記少なくとも１つのプロセッサは、前記少なくとも１つの識別子のそれぞれに関して、
各識別子に、少なくとも部分的に、基づいて、リソースブロックのセットから２つのリソースブロックを選択し各識別子に、少なくとも部分的に、基づいて、前記２つのリソースブロックから４つのリソース要素を選択するようにさらに構成され、前記干渉を前記測定することは、前記４つのリソース要素に基づく、
請求項８に記載の装置。
【請求項１３】
装置であって、
ネットワークエンティティから、リソース要素の第１のセットを含むランダムに割り当てられた干渉測定リソースのセットのうちの少なくとも１つの干渉測定リソースを少なくとも部分的に決定する少なくとも１つの識別子を受信するための手段、そこにおいて、前記リソース要素の第１のセットは、別の少なくとも１つの干渉測定リソースに対応するリソース要素の第２のセットとは異なり、前記少なくとも１つの識別子は、前記ネットワークエンティティに対応する仮想セルＩＤ、前記ネットワークエンティティによって提供される非ゼロ出力チャネル状態情報参照信号（ＮＺＰ  ＣＳＩ−ＲＳ）リソースの仮想セルＩＤ、または前記ネットワークエンティティに対応する物理セルＩＤのうちの１つである、と、
前記少なくとも１つの干渉測定リソースに少なくとも部分的に基づいて干渉を測定するための手段と
を備える、装置。
【請求項１４】
前記少なくとも１つの干渉測定リソースは、前記別の少なくとも１つの干渉測定リソースのリソース要素を伴ってわずか２つのリソース要素によって重複する、
請求項１３に記載の装置。
【請求項１５】
前記少なくとも１つの識別子は、第１の識別子と第２の識別子を備え、
前記第１の識別子は、第１の干渉測定リソースを決定し、
前記第２の識別子は、第２の干渉測定リソースを決定し、
前記第１および第２の干渉測定リソースは、わずか２つのリソース要素によって重複する、
請求項１３に記載の装置。
【請求項１６】
前記干渉を前記測定することに基づいてチャネル状態情報（ＣＳＩ）報告を決定するための手段と、
前記少なくとも１つの識別子と関連する前記ネットワークエンティティに前記ＣＳＩ報告を送信するための手段と
をさらに備える、請求項１３に記載の装置。
【請求項１７】
各識別子に、少なくとも部分的に、基づいて、リソースブロックのセットから２つのリソースブロックを選択するための手段と、
前記２つのリソースブロックから４つのリソース要素を選択するための手段、そこにおいて、前記干渉を前記測定することは、前記４つのリソース要素に基づく、と
をさらに備える、請求項１３に記載の装置。
【請求項１８】
非一時的コンピュータ可読媒体であって、
ネットワークエンティティから、リソース要素の第１のセットを含むランダムに割り当てられた干渉測定リソースのセットのうちの少なくとも１つの干渉測定リソースを少なくとも部分的に決定する少なくとも１つの識別子を受信すること、そこにおいて、前記リソース要素の第１のセットは、別の少なくとも１つの干渉測定リソースに対応するリソース要素の第２のセットとは異なり、前記少なくとも１つの識別子は、前記ネットワークエンティティに対応する仮想セルＩＤ、前記ネットワークエンティティによって提供される非ゼロ出力チャネル状態情報参照信号（ＮＺＰ  ＣＳＩ−ＲＳ）リソースの仮想セルＩＤ、または前記ネットワークエンティティに対応する物理セルＩＤのうちの１つである、と、
前記少なくとも１つの干渉測定リソースに少なくとも部分的に基づいて干渉を測定することと
を少なくとも１つのコンピュータにさせるためのコードを備える非一時的コンピュータ可読媒体。
【請求項１９】
前記少なくとも１つの干渉測定リソースは、前記別の少なくとも１つの干渉測定リソースのリソース要素を伴ってわずか２つのリソース要素によって重複する、
請求項１８に記載の非一時的コンピュータ可読媒体。
【請求項２０】
前記少なくとも１つの識別子は、第１の識別子と第２の識別子を備え、
前記第１の識別子は、第１の干渉測定リソースを決定し、
前記第２の識別子は、第２の干渉測定リソースを決定し、
前記第１および第２の干渉測定リソースは、わずか２つのリソース要素によって重複する、
請求項１８に記載の非一時的コンピュータ可読媒体。
【請求項２１】
前記非一時的コンピュータ可読媒体は、
前記干渉を前記測定することに基づいてチャネル状態情報（ＣＳＩ）報告を決定することと、
前記少なくとも１つの識別子と関連する前記ネットワークエンティティに前記ＣＳＩ報告を送信することと
を前記少なくとも１つのコンピュータにさせるためのコードをさらに備える、請求項１８に記載の非一時的コンピュータ可読媒体。
【請求項２２】
前記非一時的コンピュータ可読媒体は、
各識別子に、少なくとも部分的に、基づいて、リソースブロックのセットから２つのリソースブロックを選択することと、
前記２つのリソースブロックから４つのリソース要素を選択すること、そこにおいて、前記干渉を前記測定することは、前記４つのリソース要素に基づく、と
を前記少なくとも１つのコンピュータにさせるためのコードをさらに備える、請求項１８に記載の非一時的コンピュータ可読媒体。